(57)【要約】【課題】温度低下によっても結露の発生がなく汎用性を有する発光装置を提供すること。【解決手段】発光体Ａ全体を長尺な透明性の袋状フィルム６内に収納して密封し、発光体の発光表面を袋状フィルムに密接させる。袋状フィルム６は、発光表面と反対側に膨縮可能な空間部８を有し、空間部内に不活性ガス９を封入する。【選択図】図４
0003171894.tif 000002
【実用新案登録請求の範囲】
【請求項１】
テープ状とした基板の長手方向上面に、ＬＥＤ素子の多数個を間隔をおいて一列若しくは複数列搭載するとともに基板を枠体で固定し、ＬＥＤ素子に透明カバーを被せて発光体を構成したＬＥＤ発光装置において、発光体全体を長尺な透明性の袋状フィルム内に収納して密封し、発光体の発光表面を袋状フィルムに密接するべく融着部を備え、袋状フィルムが、発光表面と反対側に膨縮可能な空間部を有し、しかして空間部内に不活性ガスを封入することを特徴とするＬＥＤ発光装置。
【考案の詳細な説明】
【技術分野】
【０００１】  本考案は結露防止等に有効な汎用性に富むＬＥＤ発光装置に関する。
【背景技術】
【０００２】  基板上に多数個の発光ダイオード（ＬＥＤ）を実装し、記号・文字・図柄などの表示体を形成して広告宣伝、照明等の用途に供する発光装置が利用されているところ、ＬＥＤ発光時のＵＶ照射による劣化防止や周縁環境の温度差による水分の発生防止、発光特性の更なる向上を目指すための生産性のよいＬＥＤランプを提供しようとの技術の提案も多数見受けられる（例えば特許文献１〜４参照）。
【先行技術文献】
【特許文献】
【０００３】
【特許文献１】特開２００７−２５０８１７号公報
【特許文献２】特開２００５−３３３０１４号公報
【特許文献３】特開２００５−３１７８８１号公報
【特許文献４】特開２００５−５５４６号公報
【考案の概要】
【考案が解決しようとする課題】
【０００４】  基板上に配したＬＥＤ素子の外側にレンズカバー若しくはガラスカバーを取り付けて密閉した通常の発光装置を前提として、内部に不活性ガスを注入することによっていたずらに空気が容器内に流入することが回避できること、またＬＥＤ周縁を透明樹脂による真空蒸着することによってパッケージ外側に短波長の光の漏洩を抑止することなどは上記の特許文献に示されているものの、いずれの技術も特定された構造上の制約下におけるそれなりの機能効果を発揮するものにすぎずＬＥＤの多岐にわたる汎用性になじむものとは言いがたく、また製造上・コスト面で必ずしも有利とはならない問題点があった。【０００５】  本考案はこれらの問題点を解決し、簡単な手法によってＬＥＤ本来の輝度を有しつつも室内外の温度変化の影響を受けることが回避できて結露発生、雨水の流入等を未然に防止し、ＬＥＤを利用した発光体としての汎用性が十分に発揮できるところの発光装置を提供することを目的としている。
【課題を解決するための手段】
【０００６】  前記目的を達成するために本考案は、テープ状とした基板の長手方向上面に、ＬＥＤ素子の多数個を間隔をおいて一列若しくは複数列搭載するとともに基板を枠体で固定し、ＬＥＤ素子に透明カバーを被せて発光体を構成したＬＥＤ発光装置において、発光体全体を長尺な透明性の袋状フィルム内に収納して密封し、発光体の発光表面を袋状フィルムに密接するべく融着部を備え、袋状フィルムが、発光表面と反対側に膨縮可能な空間部を有し、しかして空間部内に不活性ガスを封入することを特徴とする。
【考案の効果】
【０００７】  本考案によると、発光体全体は膨縮可能な透明の袋状フィルムによって覆われているが発光表面は袋状フィルムに密接しているため光は透明カバーから外部へ照射するのと何ら変わりなく光輝色を発現できる。照射時間を経るに従ってＬＥＤ素子からの発光熱により周囲の温度が高くなっても、フィルムは袋状のため熱膨張により発光表面と反対側の空間部が漸次膨らむに過ぎず、袋内の気体が外部へ漏出することもないため発光体をスイッチオフしても膨張した袋が収縮するだけであり周囲環境の温度低下があっても結露の発生は抑止される。【０００８】  発光体全体が袋状フィルムで密閉されていて内部への水分流入や塵埃の侵入付着が未然に防止され、発光体は長期にわたり正しく機能する。従来、宣伝広告用のため室外に設置した発光装置は風雨や気温の影響を受けやすいが、前記したとおり結露の発生が回避できるとともに就中袋状フィルム内に封入した不活性ガスがすこぶる有効に作用するため夏場や冬場における室内外の温度差があってもＬＥＤ素子に及ぼす影響は回避され、製品の寿命を正しく維持できて発光体部品などを交換する手間も省かれる。【０００９】  袋状フィルムは軽量なナイロン材等を使用でき、発光体の大きさ・形状に応じたものを使用できるため照明器具はもちろんのこと広告宣伝装飾用の看板や交通標識のようなものなど広い分野での利用が可能であり、しかも一般的な融着手段によって発光体を密封できるため製作に煩わしい工程を要することがなく、安価量産に好適するという実益もある。
【図面の簡単な説明】
【００１０】
【図１】基板を枠体で固定した概略図である。
【図２】ＬＥＤ素子に透明カバーを被せて構成した発光体の概略図である。
【図３】袋状フィルムを発光体に被せて密閉した概略図である。
【図４】袋状フィルムが膨張した説明図である。
【考案を実施するための形態】
【００１１】  考案を実施するための形態につき図面を参照して説明すると、図１においてＬＥＤ素子１はテープ状の基板２の長手方向上面に間隔をおいて多数個が実装されている。そして基板２は外側の凹溝形をした枠体３によって固定され、基板２の端部にはリード線４が配線されているが、これらの構成は既存のものと何ら異なることはなく、ＬＥＤ素子１の配列方法、枠体３の形状なども目新しいものではないため詳細な説明は省略する。
【００１２】  図２はＬＥＤ素子１の上面に透明カバー５を被せて構成した発光体Ａを示したものであり、透明カバー５は合成樹脂・ガラスなどを素材とし、ＬＥＤ素子１から発せられた光はこの透明カバー５を透って外部へと放射されるが、この点も既存のものと特段変わったところはない。
【００１３】  図３は上記発光体Ａが長尺な透明性の袋状フィルム６内に収納され密封された状態を示している。この袋状フィルム６は他の素材を用いることもできるが、容易には空気を通さない点からも好ましくはナイロン材、とりわけ三層構造ナイロンがふさわしい。そして袋状フィルム６を被せた発光体Ａは発光表面を袋状フィルム６に密接させるため長手方向に沿い適宜な間隔をおいて袋状フィルム６の相対する面を融着部７とすると発光体Ａは袋内にあって不動状となり、また発光体Ａは袋状フィルム６に表面が密接しているためＬＥＤ素子１からの発光はその光輝色を直接的に外部へと照射できる。
【００１４】  発光体Ａは袋状フィルム６に全体が密閉されていて前記のとおり発光表面は袋状フィルム６に密接しているが、発光表面と反対側（図では下部）は空間部８となっており、空間部８内には不活性ガス９を注入しておく。熱を帯びない状態ではこの空間部８は収縮しているが、外部の電源装置１０のコード１１をコンセント（不図小）に差し込むとＬＥＤ素子１が点灯し時間が経つにつれて熱を帯びてくる。
【００１５】  ＬＥＤ素子１が高温になると図４のとおり袋状フィルム６の空間部８は熱膨張してくるが、たとえ気体によって空間部８が膨らんだとしても袋状フィルム６は全体が封止されているのと空間部８には余裕があるため熱が冷めても気体が外部へ漏出することはなく、空間部８が自然に収縮するだけであり、とりわけ空間部８内に不活性ガス９を封入してあるので結露は発生せず、例えば寒暖の差の激しい日中から夜間への移行時、あるいは屋外から屋内への移動時で発光体Ａに温度変化があっても袋状フィルム６には水滴が生じたり内部に汚れが付着するといった不測の事態は未然に防止できる。
【００１６】  本考案は前述のとおりであり、発光体Ａがいかなる態様のものであっても袋状フィルム６内に収納密封することで結露の発生を抑止でき、それゆえ多岐にわたる分野での利用が可能で優れた汎用性を備える。なお実施形態において図では基板２上のＬＥＤ素子１は一列となっているが複数列にすること、また用途によりＬＥＤ素子１のみに透明カバー５が被着されること、基板２を固定する枠体３の形状、その他既存の発光装置における付加又は省略された構造などは任意事項であって本考案の目的効果を奏する範囲においてそれらも本考案の実施の範疇に属することは勿論である。
【符号の説明】
【００１７】１  ＬＥＤ素子
２  基板
３  枠体
４  リード線
５  透明カバー
６  袋状フィルム
７  融着部
８  空間部
９  不活性ガス
Ａ  発光体
【図１】
0003171894.tif 000003
【図２】
0003171894.tif 000004
【図３】
0003171894.tif 000005
【図４】
0003171894.tif 000006
【手続補正書】
【提出日】平成23年8月31日(2011.8.31)
【手続補正１】
【補正対象書類名】実用新案登録請求の範囲
【補正対象項目名】全文
【補正方法】変更
【補正の内容】
【実用新案登録請求の範囲】
【請求項１】
テープ状とした基板の長手方向上面に、ＬＥＤ素子の多数個を間隔をおいて一列若しくは複数列搭載するとともに基板を枠体で固定し、ＬＥＤ素子に透明カバーを被せて発光体を構成したＬＥＤ発光装置において、発光体全体を長尺な透明性の袋状フィルム内に収納して密封し、発光体の発光表面を袋状フィルムに密接させ、袋状フィルムが、発光表面と反対側に膨縮可能な空間部を有し、しかして空間部内に不活性ガスを封入することを特徴とするＬＥＤ発光装置。